【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
媒体上にインクを吐出して印刷を行うインクジェットプリンタにおいて、
媒体に対して所定の方向に相対的に移動可能に支持されたキャリッジと、
前記キャリッジに前記所定の方向と交差する方向に移動自在に配設されたスライド装置と、
前記スライド装置に配置されるとともに前記媒体上にインクを吐出可能なインクヘッドと、
前記キャリッジの前記所定の方向への移動ならびに前記スライド装置の前記所定の方向と交差する方向への移動に伴って移動して、固定系部位と係合離脱自在に係止する係止部材と
を有することを特徴とするインクジェットプリンタ。
【請求項２】
媒体上にインクを吐出して印刷を行うとともに前記媒体を切断可能なインクジェットプリンタにおいて、
媒体に対して所定の方向に相対的に移動可能に支持された第１のキャリッジと、
前記媒体に対して前記所定の方向に相対的に移動可能に支持されるとともに前記第１のキャリッジの前記所定の方向における側方に位置するように並設された第２のキャリッジと、
前記第１のキャリッジに前記所定の方向と交差する方向に移動自在に配設されたスライド装置と、
前記スライド装置に配置されるとともに前記媒体上にインクを吐出可能なインクヘッドと、
前記第２のキャリッジに配置されるとともに前記媒体を切断可能なカッティングヘッドと、
前記第１のキャリッジの前記所定の方向への移動ならびに前記スライド装置の前記所定の方向と交差する方向への移動に伴って移動して、固定系部位と係合離脱自在に係止する係止部材と、
前記第１のキャリッジと前記第２のキャリッジとを分離可能に連結する連結手段と
を有することを特徴とするインクジェットプリンタ。
【請求項３】
媒体上にインクを吐出して印刷を行うとともに前記媒体を切断可能なインクジェットプリンタにおいて、
媒体に対して所定の方向に相対的に移動可能に支持された第１のキャリッジと、
前記媒体に対して前記所定の方向に相対的に移動可能に支持されるとともに前記第１のキャリッジの前記所定の方向における側方に位置するように並設された第２のキャリッジと、
前記第１のキャリッジに前記所定の方向と交差する方向に移動自在に配設されたスライド装置と、
前記スライド装置に配置されるとともに前記媒体上にインクを吐出可能なインクヘッドと、
前記第２のキャリッジに配置されるとともに前記媒体を切断可能なカッティングヘッドと、
前記第１のキャリッジの前記所定の方向への移動ならびに前記スライド装置の前記所定の方向と交差する方向への移動に伴って移動して、固定系部位と係合離脱自在に係止する係止部材と、
前記第１のキャリッジと前記第２のキャリッジとを分離可能に連結する連結手段と
を有し、
前記媒体に印刷する場合には、前記係止部材を前記固定系部位から離脱させて、前記第１のキャリッジを前記固定系部位から離脱させるとともに、前記連結手段によって前記第１のキャリッジと前記第２のキャリッジとを連結し、前記第１のキャリッジに配置されたインクヘッドと前記第２のキャリッジに配置されたカッティングヘッドとを一体的に移動し、
前記媒体を切断する場合には、前記係止部材を前記固定系部位に係合させて、前記第１のキャリッジを前記固定系部位に係合するとともに、前記連結手段によって前記第１のキャリッジと前記第２のキャリッジとを分離し、前記第２のキャリッジに配置されたカッティングヘッドのみを移動する
ことを特徴とするインクジェットプリンタ。
【請求項４】
請求項２または３のいずれか１項に記載のインクジェットプリンタにおいて、
前記スライド装置は、
前記第１のキャリッジの壁面に前記所定の方向と交差する方向に延長して配設されたガイドレールと、
前記ガイドレールに沿って移動自在に配設された摺動ブロックと
を有することを特徴とするインクジェットプリンタ。
【請求項５】
請求項４に記載のインクジェットプリンタにおいて、
前記インクヘッドは、前記摺動ブロックに対して配置された
ことを特徴とするインクジェットプリンタ。
【請求項６】
請求項４または５のいずれか１項に記載のインクジェットプリンタにおいて、さらに、
前記摺動ブロックを駆動する駆動手段を有する
ことを特徴とするインクジェットプリンタ。
【請求項７】
請求項２、３、４、５または６のいずれか１項に記載のインクジェットプリンタにおいて、
前記所定の方向と交差する方向は、前記所定の方向と直交する方向である
ことを特徴とするインクジェットプリンタ。
【請求項８】
請求項２、３、４、５、６または７のいずれか１項に記載のインクジェットプリンタにおいて、
前記係止部材は、固定系部位方向へ突出形成されるとともに屈曲した先端部を備え、
前記固定系部位は、前記係止部材の前記先端部が係合する孔部を備えた
ことを特徴とするインクジェットプリンタ。
【請求項９】
請求項２、３、４、５、６、７または８のいずれか１項に記載のインクジェットプリンタにおいて、
前記連結手段は、マグネットにより構成されている
ことを特徴とするインクジェットプリンタ。
【請求項１０】
請求項９に記載のインクジェットプリンタにおいて、
前記マグネットの吸着力は、前記係止部材と固定系部位との係合による係合力より小さい
ことを特徴とするインクジェットプリンタ。
【手続補正２】
【補正対象書類名】明細書
【補正対象項目名】００１３
【補正方法】変更
【補正の内容】
【００１３】
上記目的を達成するために、本発明のうち請求項１に記載の発明は、媒体上にインクを吐出して印刷を行うインクジェットプリンタにおいて、媒体に対して所定の方向に相対的に移動可能に支持されたキャリッジと、上記キャリッジに上記所定の方向と交差する方向に移動自在に配設されたスライド装置と、上記スライド装置に配置されるとともに上記媒体上にインクを吐出可能なインクヘッドと、上記キャリッジの上記所定の方向への移動ならびに上記スライド装置の上記所定の方向と交差する方向への移動に伴って移動して、固定系部位と係合離脱自在に係止する係止部材と有するようにしたものである。
また、本発明のうち請求項２に記載の発明は、媒体上にインクを吐出して印刷を行うとともに上記媒体を切断可能なインクジェットプリンタにおいて、媒体に対して所定の方向に相対的に移動可能に支持された第１のキャリッジと、上記媒体に対して上記所定の方向に相対的に移動可能に支持されるとともに上記第１のキャリッジの上記所定の方向における側方に位置するように並設された第２のキャリッジと、上記第１のキャリッジに上記所定の方向と交差する方向に移動自在に配設されたスライド装置と、上記スライド装置に配置されるとともに上記媒体上にインクを吐出可能なインクヘッドと、上記第２のキャリッジに配置されるとともに上記媒体を切断可能なカッティングヘッドと、上記第１のキャリッジの上記所定の方向への移動ならびに上記スライド装置の上記所定の方向と交差する方向への移動に伴って移動して、固定系部位と係合離脱自在に係止する係止部材と、上記第１のキャリッジと上記第２のキャリッジとを分離可能に連結する連結手段とを有するようにしたものである。
【手続補正３】
【補正対象書類名】明細書
【補正対象項目名】００１４
【補正方法】変更
【補正の内容】
【００１４】
また、本発明のうち請求項３に記載の発明は、媒体上にインクを吐出して印刷を行うとともに上記媒体を切断可能なインクジェットプリンタにおいて、媒体に対して所定の方向に相対的に移動可能に支持された第１のキャリッジと、上記媒体に対して上記所定の方向に相対的に移動可能に支持されるとともに上記第１のキャリッジの上記所定の方向における側方に位置するように並設された第２のキャリッジと、上記第１のキャリッジに上記所定の方向と交差する方向に移動自在に配設されたスライド装置と、上記スライド装置に配置されるとともに上記媒体上にインクを吐出可能なインクヘッドと、上記第２のキャリッジに配置されるとともに上記媒体を切断可能なカッティングヘッドと、上記第１のキャリッジの上記所定の方向への移動ならびに上記スライド装置の上記所定の方向と交差する方向への移動に伴って移動して、固定系部位と係合離脱自在に係止する係止部材と、上記第１のキャリッジと上記第２のキャリッジとを分離可能に連結する連結手段とを有し、上記媒体に印刷する場合には、上記係止部材を上記固定系部位から離脱させて、上記第１のキャリッジを上記固定系部位から離脱させるとともに、上記連結手段によって上記第１のキャリッジと上記第２のキャリッジとを連結し、上記第１のキャリッジに配置されたインクヘッドと上記第２のキャリッジに配置されたカッティングヘッドとを一体的に移動し、上記媒体を切断する場合には、上記係止部材を上記固定系部位に係合させて、上記第１のキャリッジを上記固定系部位に係合するとともに、上記連結手段によって上記第１のキャリッジと上記第２のキャリッジとを分離し、上記第２のキャリッジに配置されたカッティングヘッドのみを移動するようにしたものである。
【手続補正４】
【補正対象書類名】明細書
【補正対象項目名】００１５
【補正方法】変更
【補正の内容】
【００１５】
また、本発明のうち請求項４に記載の発明は、本発明のうち請求項２または３のいずれか１項に記載の発明において、上記スライド装置が、上記第１のキャリッジの壁面に上記所定の方向と交差する方向に延長して配設されたガイドレールと、上記ガイドレールに沿って移動自在に配設された摺動ブロックとを有して構成されるようにしたものである。
【手続補正５】
【補正対象書類名】明細書
【補正対象項目名】００１６
【補正方法】変更
【補正の内容】
【００１６】
また、本発明のうち請求項５に記載の発明は、本発明のうち請求項４に記載の発明において、上記インクヘッドが、上記摺動ブロックに対して配置されるようにしたものである。
【手続補正６】
【補正対象書類名】明細書
【補正対象項目名】００１７
【補正方法】変更
【補正の内容】
【００１７】
また、本発明のうち請求項６に記載の発明は、本発明のうち請求項４または５のいずれか１項に記載の発明において、さらに、上記摺動ブロックを駆動する駆動手段を有するようにしたものである。
【手続補正７】
【補正対象書類名】明細書
【補正対象項目名】００１８
【補正方法】変更
【補正の内容】
【００１８】
また、本発明のうち請求項７に記載の発明は、本発明のうち請求項２、３、４、５または６のいずれか１項に記載の発明において、上記所定の方向と交差する方向を、上記所定の方向と直交する方向としたものである。
【手続補正８】
【補正対象書類名】明細書
【補正対象項目名】００１９
【補正方法】変更
【補正の内容】
【００１９】
また、本発明のうち請求項８に記載の発明は、本発明のうち請求項２、３、４、５、６または７のいずれか１項に記載の発明において、上記係止部材が、固定系部位方向へ突出形成されるとともに屈曲した先端部を備え、上記固定系部位が、上記係止部材の上記先端部が係合する孔部を備えるようにしたものである。
【手続補正９】
【補正対象書類名】明細書
【補正対象項目名】００２０
【補正方法】変更
【補正の内容】
【００２０】
また、本発明のうち請求項９に記載の発明は、本発明のうち請求項２、３、４、５、６、７または８のいずれか１項に記載の発明において、上記連結手段をマグネットにより構成するようにしたものである。
【手続補正１０】
【補正対象書類名】明細書
【補正対象項目名】００２１
【補正方法】変更
【補正の内容】
【００２１】
また、本発明のうち請求項１０に記載の発明は、本発明のうち請求項９に記載の発明において、上記マグネットの吸着力が、上記係止部材と固定系部位との係合による係合力より小さくなるようにしたものである。